(57)【要約】【課題】半径方向移動部材の径方向移動を軸方向移動部材の軸方向移動に滑らかに変換し、安定した制動特性が得られる魚釣用リールを提供すること【解決手段】リール本体１２に回転自在に支持したスプール１６の一側に、スプール軸１８に対して軸方向移動可能にかつ回り止めされて支持された導電体４４を、スプール１６の回転によって径方向に移動する半径方向移動部材６４との係合作用を介してリール本体に設けた磁石３０，３２の磁界内に進退させ、スプール１６に作用する磁気制動力を増減可能とする磁気制動装置２８を備え、導電体４４を支持する軸方向移動部材５０とスプール１６との少なくとも一方の側に、スプール軸１８に対して半径方向移動部材６４を回り止めすると共に、径方向に移動案内させる案内リブ６２を形成した魚釣用リール１０。【選択図】      図２
2005245284.tif 000002
【特許請求の範囲】
【請求項１】
リール本体に回転自在に支持したスプールの一側に、スプール軸に対して軸方向移動可能にかつ回り止めされて支持された導電体を、前記スプールの回転によって径方向に移動する半径方向移動部材との係合作用を介して前記リール本体に設けた磁石の磁界内に進退させ、スプールに作用する磁気制動力を増減可能とする磁気制動装置を備えた魚釣用リールにおいて、前記導電体を支持する軸方向移動部材とスプールとの少なくとも一方の側に、前記スプール軸に対して半径方向移動部材を回り止めすると共に径方向に移動案内させる案内リブを形成したことを特徴とする魚釣用リール。
【請求項２】
前記案内リブは、前記軸方向部材のスプールに対向した側に、周方向に沿って複数形成されている請求項１に記載の魚釣用リール。
【発明の詳細な説明】
【技術分野】
【０００１】
本発明は、魚釣用リールに関し、特に、釣糸放出操作時におけるスプールの過回転を防止する磁気制動装置を備えた魚釣用リールに関する。
【背景技術】
【０００２】
一般に、リール本体の側板間に回転自在に支えられたスプールの一側に、このスプールと一体的に回転する筒状またはリング状の導電体を磁石に対向配置させた磁気制動装置を備える魚釣用リールが知られている。このような魚釣用リールの磁気制動装置は、スプールの軸方向一端側の側部と、リール本体の外側板との間に配置されており、スプールが高速回転したときに、磁石の磁界内で回転する導電体に発生する渦電流の大きさによって、スプールの回転方向とは逆方向の力が、制動力としてスプールに作用する。
【０００３】
このような磁気制動装置を備えた魚釣用リールとして、スプールの釣糸巻回胴部内側にテーパ面を形成し、スプール回転による遠心力の作用で半径方向に移動する半径方向移動部材をスプール軸上に軸方向にも移動可能に装着し、スプールが回転したときの遠心力による半径方向移動部材の半径方向移動を、釣糸巻回胴部内側のテーパ面を介して軸方向移動に変換し、この半径方向移動部材を支える長手方向移動部材と共に、この長手方向移動部材に設けた導電体を磁気制動装置の磁界内に進退移動させ、スプール回転速度の増減に応じて制動力を自動調整するものがある（例えば特許文献１参照）。
【特許文献１】特開平１０−２６２５１８号公報
【発明の開示】
【発明が解決しようとする課題】
【０００４】
しかし、この魚釣用リールでは、半径方向移動部材は、幅広の２つの壁部の中央部を連結する幅狭の連結部の両側に、この連結部と２つの壁部とでそれぞれ側方に開口する一対の溝を形成した略Ｈ字状の横断面形状を有し、一方、長手方向移動部材は、径方向に沿って形成された案内孔を有し、この案内孔に半径方向移動部材の連結部を摺接嵌合した状態で径方向に移動案内するため、この案内孔を形成する一対の対向した縁部が、それぞれ半径方向移動部材の溝内を摺動する際に大きな摩擦抵抗を発生する。このため、スプール回転に伴う半径方向移動部材の径方向移動から長手方向移動部材の軸方向移動への変換が滑らかに行われなくなる可能性がある。
【０００５】
本発明は、このような事情に基づいてなされたもので、半径方向移動部材の径方向移動を軸方向移動部材の軸方向移動に滑らかに変換し、安定した制動特性が得られる魚釣用リールを提供することを目的とする。
【課題を解決するための手段】
【０００６】
上記目的を達成する本発明の魚釣用リールは、リール本体に回転自在に支持したスプールの一側に、スプール軸に対して軸方向移動可能にかつ回り止めされて支持された導電体を、前記スプールの回転によって径方向に移動する半径方向移動部材との係合作用を介して前記リール本体に設けた磁石の磁界内に進退させ、スプールに作用する磁気制動力を増減可能とする磁気制動装置を備えた魚釣用リールにおいて、前記導電体を支持する軸方向移動部材とスプールとの少なくとも一方の側に、前記スプール軸に対して半径方向移動部材を回り止めすると共に、径方向に移動案内させる案内リブを形成したことを特徴とする。
【発明の効果】
【０００７】
本発明によると、軸方向移動部材とスプールとの少なくとも一方の側に、スプール軸に対して半径方向移動部材を回り止めすると共に、径方向に移動案内させる案内リブを設けたことにより、摺動抵抗が小さくなり、半径方向移動部材の径方向移動から軸方向移動部材の軸方向移動に滑らかに変換され、安定した良好な制動特性が得られる。
【発明を実施するための最良の形態】
【０００８】
図１に示すように、本実施形態の魚釣用リール１０は、両軸受け型手巻きリールとして形成してあり、このリール本体１２の一対の外側板１４ａ，１４ｂに、本実施形態では、糸巻容量の大きな深溝状形状のスプール１６を具備したスプール軸１８の両端部が、例えば図示のようなボール軸受１５ａ，１５ｂを介して回転自在に支持されている。このスプール軸１８の右端側には、図示しない駆動歯車を介して、ハンドル２０で回転駆動されるピニオン２２がこのスプール軸１８と同軸上に配置されている。
【０００９】
このピニオン２２は、図示しない公知の伝達機構を介して、外側板１４ａ，１４ｂ間に配置したクラッチレバー２４と連動しており、このクラッチレバー２４を下方に押圧作動することにより、軸方向に沿って移動することができる。例えば、図１に示すスプール軸１８の右端部にピニオン２２が嵌合した位置すなわち巻取状態から、クラッチレバー２４を押し下げると、右外側板１４ｂ内に配置した適宜の伝達機構により、ピニオン２２が右方に移動される。これにより、スプール軸１８の右端部からピニオン２２を分離した状態（スプールフリー状態）とすることができる。又、ピニオン２２が分離した状態で、ハンドル２０を回転させると、図示しない公知の復帰機構を介して、ピニオン２２がスプール軸１８の右端部に嵌合して元の状態（巻取状態）に復帰し、スプール軸１８と一体化されているスプール１６と、ピニオン２２とが一体的に回転する。符号２６は、スプール１６の両側に形成された一対の鍔部１６ａ，１６ａ間に位置する円筒状の釣糸巻回胴部１６ｂ上に釣糸（図示しない）を均等に巻回するため、ハンドル２０の釣糸巻取り回転に連動して、一対の外側板１４ａ，１４ｂ間を往復動する公知の釣糸案内装置を示す。
【００１０】
ハンドル２０の反対側に位置する一側には、スプール１６の過回転を防止する磁気制動装置２８を配置してある。この磁気制動装置２８は、磁場を径方向に配向させるＮ極とＳ極とを周方向に沿って複数対を交互に逆向きに着磁させた内側リング磁石３０と、この内側リング磁石３０と逆方向に着磁された外側リング磁石３２とを備える。これらの内側リング磁石３０と外側リング磁石３２とは、それぞれリング状の内側保持板３４と外側保持板３６とを介して左外側板１４ａに装着され、その間に配置される環状間隙３８に磁界を形成する。このような磁石は、希土類磁石（ネオジム系、サマリウム系、セリウム系）、フェライト磁石等で形成することができ、最大エネルギ積、保持力、残留磁束密度等の磁気特性より、ネオジム系磁石とすることが最も好ましい。  
尚、外側リング磁石３２は、外側保持板３６と共に磁石ホルダ４０で保持されており、この磁石ホルダ４０の外周側の少なくとも一部には歯４０ａが形成され、この歯４０ａに噛合い係合する小歯車４２ａを回転する制動力調節ツマミ４２が、本実施形態では左外側板１４ａに配置してある。この制動力調節ツマミ４２を回転すると、磁石ホルダ４０が回転し、内側リング磁石３０に対する外側リング磁石３２の相対位置が変化する。これにより、環状間隙３８に形成される磁界の強さを、連続的に変化させることができる。一方、内側リング磁石３０を移動するようにすることも可能である。
【００１１】
図２から図５に詳細に示すように、この磁気制動装置２８の導電体４４は、スプール１６と一体的に回転し、環状間隙３８内に形成される磁界内に、スプールの回転速度に応じて進退される円筒状に形成してある。この円筒状の導電体４４は、例えばアルミニウム、アルミニウム合金あるいは銅等の非磁性の導電性材料で形成される。本実施形態の導電体４４は、スプール軸１８に軸方向移動が可能でかつ回転不能に装着されるボス部４６と、このボス部４６の左外側板１４ａに近接する端部付近から半径方向外方に延びるディスク状部４８とを有する導電体支持部すなわち軸方向移動部材５０に取付けられており、このディスク状部４８の外周縁部からハンドル２０と反対側すなわち左外側板１４ａの方向に突出させて固定されている。この軸方向移動部材５０は、導電体４４に作用する制動力をスプール軸１８に伝達できる強さを持つものであれば、適宜の樹脂または金属材料で形成することができる。尚、軽量化の面で樹脂材が好ましい。
【００１２】
この導電体４４をスプール軸１８に対して回転不能としつつ軸方向移動を可能とするため、軸方向移動部材５０のボス部４６には、それぞれハンドル２０側の開口端から中間部位まで延びる一対の長溝５２を径方向に対向させて形成し、スプール軸１８を径方向に貫通し固定された支持ピン５４の先端部をこの長溝５２に収容させてある。本実施形態のボス部４６は、長溝５２を形成した部分の外周側に、この長溝５２よりも幅広の軸方向突起４７（図４）を形成してあり、この軸方向突起４７に対応する径方向内側に形成される長溝５２の底面で、支持ピン５４の抜け止めが行われるので、異物付着による影響なく、軸方向移動部材５０の円滑な軸方向移動が維持できる。
【００１３】
また、図２および図３に示すように、このボス部４６は、左外側板１４ａ側に対向する端部の内周部に浅い底部４６ｂを有する凹部４６ａを形成し、スプール軸１８の外周に巻装された押圧ばね５６は、周溝１８ａに係止された保持リング５８と凹部４２ａの底部４６ｂ間に配置されて、軸方向移動部材５０、つまり導電体４４をスプール１６側に向けて付勢している。この押圧ばね５６の付勢力に抗して導電体４４を安定して支えるため、周溝１８ａ部からスプール１６側に所定距離内方に離隔した周溝１８ｂに規制部材６０を嵌合係止してある。この規制部材６０にボス部４６の端部が当接することにより、軸方向移動部材５０、つまり導電体４４のスプール１６方向への移動が確実に阻止され、導電体４４と内外側リング磁石３０，３２の位置関係が確実に維持される。なお、ボス部４６の長溝５２の軸方向長さを所定値に設定することにより、この長溝５２の閉鎖端に支持ピン５４を当接させ、軸方向移動部材５０および導電体４４の軸方向移動を規制させることも可能である。
【００１４】
また、図２から図５に示すように、軸方向移動部材５０のディスク状部４８のスプール１６に対向する側には、本実施形態ではそれぞれ板状に形成された一対の案内リブ６２が設けられ、これらの各案内リブ６２に沿って半径方向移動部材６４が径方向および軸方向に案内される。なお、本実施形態では、案内リブ６２と半径方向移動部材６４とがそれぞれ径方向に対向した位置に配置されているが、これらの案内リブ６２および半径方向移動部材６４はそれぞれ３つ以上設けてもよく、この場合は、ボス部４６上で周方向に沿って等間隔に配置するのが好ましい。
【００１５】
本実施形態の半径方向移動部材６４は、軟質又は硬質の合成樹脂材料でスプール１６の軸方向に長辺部を沿わせた略直方体状の構造を有し、ボス部４６から離隔した側でスプール１６およびディスク状部４８と係合する角部にそれぞれ面取り部６４ａ，６４ｂが形成されている。また、ディスク状部４８に対向する側には、板状の案内リブ６２に嵌合してこの案内リブ６２で案内されるガイド溝６６が形成され、ボス部４６に対向する側には、凹部６５ａが形成されて半径方向移動部材６４の軽量化が図られている。
【００１６】
更に、このような半径方向移動部材６４を挟んで、軸方向移動部材５０には導電体側係合部６６が配置され、これと対向するスプール１６にはスプール側係合部６８（図２および図３）が配置され、半径方向移動部材６４がスプール回転時に径方向外方に移動してこれらの双方の係合部と係合することにより、半径方向移動部材６４の径方向移動を導電体４４の軸方向移動に変換される。
【００１７】
本実施形態では、導電体側係合部６６とスプール側係合部６８とは、スプール軸１８から径方向外方に向けてそれぞれ順次拡張する環状のテーパ面（導電体側係合部６６とスプール側係合部６８のテーパ面の軸方向対向面距離は径方向外方に向けて順次縮小している）で形成して対向配置され、半径方向移動部材６４を挟んで互いに逆方向に傾斜したこれらのテーパ面が半径方向移動部材６４の径方向移動を導電体４４の軸方向移動に変換する変換手段として作用する。
【００１８】
なお、本実施形態では、半径方向移動部材６４の径方向外側の角部も、それぞれ対向するテーパ面に対応した面取り部６４ａ，６４ｂとして形成してあるが、導電体側係合部６０およびスプール側係合部６２のそれぞれのテーパ面に沿って滑らかに移動できるものであれば、このような傾斜した面取り部６４ａ，６４ｂで形成することは必要はなく、小面取り形状、Ｒ形状や湾曲面であってもよい。また、案内リブ６２のボス部４６に対向する半径方向内側にも、スプール軸１８に対する傾斜角が導電体側係合部６６のテーパ面と等しい内側面６２ａを形成し、ガイド溝６６の底面６６ａもこの内側面６２ａに対応した傾斜面６６ａを形成し、これらの内側面６２ａと底面６６ａとを互いに摺接させることにより、半径方向移動部材６４を滑らかに案内しているが、底面６６ａも面取り部６４ａ，６４ｂと同様に形成することも可能である。更に、面取り部６４ａと底面６６ａとの一方のみを軸方向移動部材５０に係合させることも可能である。
【００１９】
この魚釣用リール１０は、以下のように作動する。  
図２に示すように、スプール１６が回転してないときは、軸方向移動部材５０は押圧ばね５２の付勢力でスプール１６側に押圧されているため、テーパ面で形成した変換手段である導電体側係合部６６はスプール１６側に押圧され、半径方向移動部材６４を介してスプール側係合部６８にテーパ面で形成した変換手段で係止される。導電体４４は、間隙３８の外側（スプール１６側）に位置し、したがって内側リング磁石３０および外側リング磁石３２による磁界の影響を殆ど受けない非制動状態に維持される。このとき、支持ピン５４がボス部４６の長孔５２の端部に当接し、規制部材６０がボス部４６および半径方向移動部材６４のそれぞれの端部に係合する場合には、軸方向移動部材５０および半径方向移動部材６４が確実に保持され、ガタ付きが防止される。
【００２０】
図３は、スプール１６が高速で回転したときの磁気制動状態を示す。  
半径方向移動部材６４は、遠心力により、案内リブ６２に沿って半径方向外方に移動する。導電体側係合部６６を形成する変換手段としてのテーパ面が、半径方向移動部材６４の径方向移動を導電体４４の軸方向移動に変換し、これにより、軸方向移動部材５０および導電体４４が左外側板１４ａ側に移動し、導電体４４が間隙３８内に移動する。更に、スプール側係合部６８を形成する変換手段としてのテーパ面が、径方向外方へ移動する半径方向移動部材６４を左外側板１４ａ側に軸方向移動する。この半径方向移動部材６４の径方向及び軸方向移動が、半径方向移動部材６４を介して間接的に導電体４４を軸方向に移動変換させる。これにより、半径方向移動部材６４が径方向に移動すると、導電体側係合部６６の変換手段による導電体４４の軸方向移動量と、スプール側係合部６８の変換手段による導電体４４の移動量との双方の変換手段による軸方向移動量により、導電体４４が軸方向に大きく移動される。
【００２１】
したがって、本実施形態では、スプール１６の回転によって半径方向移動部材６４が径方向に移動すると、この半径方向移動部材６４の両側であるスプール１６側と導電体４４側との双方に配置されたそれぞれの変換手段であるテーパ面が、半径方向移動部材６４の径方向移動を導電体４４の軸方向移動に変換する。すなわち、導電体４４は、導電体側係合部６６のテーパ面に当接する半径方向移動部材６４により直接軸方向に変換移動されると共に、スプール側係合部６８のテーパ面により半径方向移動部材６４を介して間接的にも軸方向に移動され、半径方向移動部材６４の僅かな径方向移動で導電体４４を内側リング磁石３０および外側リング磁石３２の磁界内に進退させることができ、リール１０の全体の小型化・コンパクト化が可能となる。換言すると、半径方向移動部材６４が従来の魚釣用リールと同じ距離だけ径方向に移動する場合には、従来のものの２倍の軸方向ストロークを確保することができる。
【００２２】
そして、半径方向移動部材６４の半径方向および軸方向の移動は、このガイド溝６６に嵌合する案内リブ６２に沿って滑らかに行われるため、摺動抵抗が小さく、半径方向移動部材６４の半径方向移動から軸方向移動部材５０の軸方向移動に滑らかに変換され、安定した良好な制動特性が得られる。この半径方向移動部材６４の半径方向および軸方向の双方の移動の案内を、ガイド溝６６に嵌合する板状の案内リブ６２で行うため、別個の案内部材を必要とせず、省スペースおよび軽量化が可能となる。しかも、このような案内リブ６２は、軸方向移動部材５０を案内する支持ピン５４とは別個に設けることができるため、このような軸方向移動部材５０のスプール軸１８に対する回り止め用支持ピン５４に影響されずに適宜の位置に例えば３つ以上設けることも可能であり、幅広い制動特性の設定が可能となる。
【００２３】
なお、本発明は、上述の実施形態に限るのものではなく、様々に変形することが可能である。例えば、案内リブ６２は、スプール１６側にも設けてることも可能であり、軸方向移動部材５０とスプール１６との少なくとも一方似設けてあればよい。スプール１６側に案内リブ６２を設ける場合には、スプール１６に直接設けるだけでなく、スプール軸１８に設けることも可能である。また、ボス部４６の外周部に軸方向突起４７を設けることなく、滑らかな円筒状の外周面として形成することも可能である。
【図面の簡単な説明】
【００２４】
【図１】本発明の好ましい実施形態による魚釣用リールを示す部分断面図。
【図２】図１に示す魚釣用リールの磁気制動装置を示す部分拡大図。
【図３】リールが高速回転した状態の図２と同様な断面図。
【図４】図１に示す魚釣用リールの軸方向移動部材の斜視図。
【図５】図１に示す魚釣用リールの半径方向移動部材の斜視図。
【符号の説明】
【００２５】
１０…魚釣用リール、１２…リール本体、１６…スプール、１８…スプール軸、２８…磁気制動装置、３０，３２…リング磁石、４４…導電体、５０…半径方向移動部材、６２…案内リブ、６４…半径方向移動部材。
【図１】
2005245284.tif 000003
【図２】
2005245284.tif 000004
【図３】
2005245284.tif 000005
【図４】
2005245284.tif 000006
【図５】
2005245284.tif 000007